(57)【要約】【課題】車両の車幅方向一端端部に車両進行方向とは反対方向の荷重が作用したとき、前記荷重による衝撃を効率良く吸収できる、安価な衝撃吸収部材を提供する。【解決手段】衝撃吸収部材１０は、車両前後方向に延設されたサイドメンバＳＬ（ＳＲ）と、サイドメンバＳＬ（ＳＲ）の前方又は後方にて車幅方向に延設されたバンパーリインフォースメントＢＲとの間に設けられる。衝撃吸収部材１０は、車両前後方向に延設されるとともにサイドメンバＳＬ（ＳＲ）に支持され、車両前後方向に圧縮されることにより前記荷重による衝撃を吸収する衝撃吸収部２０と、衝撃吸収部２０のサイドメンバＳＬ（ＳＲ）側の端部側から、バンパーリインフォースメントＢＲ側且つ車幅方向外方へ向かって延設され、バンパーリインフォースメントＢＲの車幅方向端部側を補強するバンパー補強部３０と、を備える。【選択図】図２
2014141179.tif 000002
【特許請求の範囲】
【請求項１】
車両前後方向に延設されたサイドメンバと、前記サイドメンバの前方又は後方にて車幅方向に延設されたバンパーリインフォースメントとの間に設けられる衝撃吸収部材であって、
車両前後方向に延設されるとともに前記サイドメンバに支持され、前記バンパーリインフォースメントに車両後方又は前方への荷重が加えられたとき車両前後方向に圧縮されることにより前記荷重による衝撃を吸収する衝撃吸収部と、
前記衝撃吸収部における前記サイドメンバ側の端部側から前記バンパーリインフォースメント側且つ車幅方向外方へ向かって延設され、前記バンパーリインフォースメントの車幅方向端部側を支持して前記バンパーリインフォースメントの車幅方向端部側を補強するバンパー補強部と、を備えた、衝撃吸収部材。
【請求項２】
請求項１に記載の衝撃吸収部材において、
前記バンパー補強部は、前記バンパー補強部の車両前後方向両端部のうちの前記サイドメンバ側の端部から前記バンパーリインフォース側の端部に向かうに従って、その車幅方向の長さが長くなるように形成されている、衝撃吸収部材。
【請求項３】
請求項２に記載の衝撃吸収部材において、
前記バンパー補強部は、
前記衝撃吸収部における前記サイドメンバ側の端部側から前記バンパーリインフォースメント側且つ車幅方向外方へ向かって延設され、前記バンパーリインフォースメントの車幅方向端部側に接続される第１支持部と、
前記衝撃吸収部における前記サイドメンバ側の端部側から前記バンパーリインフォースメント側且つ前記第１支持部よりも車幅方向外方へ向かって延設され、前記バンパーリインフォースメントの車幅方向端部側に接続される第２支持部と、を有する、衝撃吸収部材。
【請求項４】
請求項１乃至３のうちのいずれか１つに記載の衝撃吸収部材において、
前記衝撃吸収部と前記バンパー補強部とが押し出し加工により一体的に形成されている、衝撃吸収部材。
【請求項５】
請求項１乃至４のうちのいずれか１つに記載の衝撃吸収部材において、
前記衝撃吸収部と前記バンパー補強部とを接続する連結部をさらに有する、衝撃吸収部材。
【発明の詳細な説明】
【技術分野】
【０００１】
本発明は、車両の衝突時に変形して衝撃を吸収する衝撃吸収部材に関する。
【背景技術】
【０００２】
従来から、例えば下記特許文献１及び特許文献２に記載されているように、衝突時に変形して衝撃を吸収する衝撃吸収部材を備えた車両は知られている。この車両は、車両前後方向に延設されたサイドメンバと、サイドメンバの前方（又は後方）にて車幅方向に延設されたバンパーリインフォースメントとを備えている。衝撃吸収部材は車両前後方向に延設され、その後端部（又は前端部）がサイドメンバの前端部（又は後端部）に接続され、その前端部（又は後端部）はバンパーリインフォースメントの車幅方向端部よりも少し内側に位置する車幅方向中間部に接続されている。車両の前端（又は後端）に物体が衝突したとき、衝撃吸収部材がその軸線方向（車両前後方向）に圧縮されることにより、前記衝突による衝撃を吸収する。
【０００３】
また、特許文献２に記載されている車両は、サイドメンバの上方に位置するフロントピラーからバンパーリインフォースメントの車幅方向端部へ向かって延設されたアッパメンバをさらに備えている。アッパメンバは、サイドメンバと同様に、衝撃吸収部材を介してバンパーリインフォースメントの車幅方向端部に接続されている。すなわち、バンパーリインフォースメントは、その車幅方向中間部が衝撃吸収部材（内側衝撃吸収部材）を介してサイドメンバに支持されるのみならず、その車幅方向一端部が別の衝撃吸収部材（外側衝撃吸収部材）を介してアッパメンバに支持されている。
【先行技術文献】
【特許文献】
【０００４】
【特許文献１】特許第４４９３９４５号公報
【特許文献２】特許第４９２６０１８号公報
【発明の概要】
【０００５】
上記特許文献１に記載の車両によれば、バンパーリインフォースメントのうち車幅方向一端部（衝撃吸収部材よりも車幅方向外側の部分）は衝撃吸収部材で支持されていないため、それよりも内側の部分に比べて強度が低い。このため車両走行中に車幅方向一端側の狭い領域（例えば、スモールオーバーラップ衝突試験時のように、車両の前端部のうちの車幅方向中間部から車幅方向一端に亘る部分）に物体が衝突したとき、バンパーリインフォースメントの車幅方向一端部が折れ曲がる可能性がある。バンパーリインフォースメントの車幅方向一端部が折れ曲がった場合、折れ曲がった部分を介して衝撃吸収部材に作用する荷重の方向が衝撃吸収部材の軸線方向に対して傾斜し、衝撃吸収部材がその軸線方向に圧縮されないので、あまり衝撃が吸収されない。
【０００６】
一方、特許文献２に記載の車両によれば、バンパーリインフォースメントは、その車幅方向中間部が内側衝撃吸収部材を介してサイドメンバに支持されるのみならず、車幅方向一端部が外側衝撃吸収部材を介してアッパメンバに支持されている。そのため、車幅方向一端側の狭い領域に物体が衝突したとき、バンパーリインフォースメントの車幅方向一端部が折れ曲がることが抑制される。したがって、内側衝撃吸収部材及び外側衝撃吸収部材がそれらの軸線方向にそれぞれ圧縮されて衝撃が十分に吸収される。しかし、特許文献１に記載の車両に比べて車両前端部の構造が複雑であるだけでなく、部品点数が多い。また、アッパメンバがバンパーリインフォースメント付近まで延ばされている特殊なシャシー構造の車両にしか適用することができず、汎用性に乏しい。
【０００７】
本発明は上記問題に対処するためになされたもので、その目的は、車両の前端又は後端における車幅方向一端側の狭い領域に物体が衝突したとき、前記衝突による衝撃を効率良く吸収できる、安価な衝撃吸収部材を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００８】
上記目的を達成するために、本発明の特徴は、車両前後方向に延設されたサイドメンバ（ＳＬ，ＳＲ）と、前記サイドメンバの前方又は後方にて車幅方向に延設されたバンパーリインフォースメント（ＢＲ）との間に設けられる衝撃吸収部材（１０）であって、車両前後方向に延設されるとともにサイドメンバに支持され、バンパーリインフォースメントに車両後方又は前方への荷重が加えられたとき車両前後方向に圧縮されることにより前記荷重による衝撃を吸収する衝撃吸収部（２０）と、衝撃吸収部におけるサイドメンバ側の端部側から、バンパーリインフォースメント側且つ車幅方向外方へ向かって延設され、バンパーリインフォースメントの車幅方向端部側を支持してバンパーリインフォースメントの車幅方向端部側を補強するバンパー補強部と、を備えた、衝撃吸収部材としたことにある。なお、「衝撃吸収部におけるサイドメンバ側の端部側」は、衝撃吸収部におけるサイドメンバ側の端部、及び衝撃吸収部における前後方向中間部のうちサイドメンバ側に位置する部分を含む。また、「バンパーリインフォースメントの車幅方向端部側」とは、バンパーリインフォースメントにおけるサイドメンバの前方（又は後方）に位置する部分からバンパーリインフォースメントの車幅方向両端のうち前記サイドメンバに近い側の一端に亘る部分の少なくとも一部分を意味する。
【０００９】
この場合、バンパー補強部は、バンパー補強部の車両前後方向両端部のうちのサイドメンバ側の端部からバンパーリインフォース側の端部に向かうに従って、その車幅方向の長さが長くなるように形成されているとよい。
【００１０】
また、この場合、バンパー補強部は、衝撃吸収部におけるサイドメンバ側の端部側からバンパーリインフォースメント側且つ車幅方向外方へ向かって延設され、バンパーリインフォースメントの車幅方向端部側に接続される第１支持部（３１）と、衝撃吸収部におけるサイドメンバ側の端部側からバンパーリインフォースメント側且つ前記第１支持部よりも車幅方向外方へ向かって延設され、バンパーリインフォースメントの車幅方向端部側に接続される第２支持部（３２）と、を有するとよい。
【００１１】
本発明によれば、バンパーリインフォースメントの車幅方向端部側がバンパー補強部によって支持されているので、車両の前端（又は後端）における車幅方向一端側の狭い領域（サイドメンバの前方（又は後方）に位置する部分から車幅方向一端に亘る部分）に物体が衝突したとき、バンパーリインフォースメントの車幅方向一端部側の折れ曲がりを抑制することができる。このため衝撃吸収部にはその軸線方向に平行に荷重が作用し、衝撃吸収部がその軸線方向に圧縮される。よって、前記衝突による衝撃を効率良く吸収することができる。また、バンパー補強部は、衝撃吸収部におけるサイドメンバ側の端部側から、バンパーリインフォースメント側且つ車幅方向外方へ向かって延設されている。すなわち、バンパー補強部の延設方向はサイドメンバの延設方向に対して傾斜している。したがって、サイドメンバの前端（又は後端）には、車幅方向内方且つ後方（又は、車幅方向内方且つ前方）に前記衝突による荷重が作用する。衝撃吸収部によって効率良く前記衝突による衝撃を吸収するとともにサイドメンバの前端（又は後端）に車幅方向内方への荷重を作用させることにより、衝突時に車両本体が前記物体周りに回転するように進行することを抑制し、車両本体を衝突前の進行方向に略平行な方向に進行させることができる。これにより、乗員及び車両周辺に与える影響を極力小さくすることができる。また、上記特許文献２の車両のようなアッパメンバ及びアッパメンバに接続される衝撃吸収部材が不要であるので、車両の前端部の構造を簡略化するとともに部品点数を削減できる。さらに、バンパー補強部は衝撃吸収部から車幅方向外方に延びるように形成されており、特許文献２に示されるような特殊なシャシー構造の車両でない通常の車両に本発明の衝撃吸収部材を適用することができるので、汎用性が高い。
【００１２】
また、本発明の他の特徴は、衝撃吸収部とバンパー補強部とが押し出し加工により一体的に形成されていることにある。これによれば、衝撃吸収部とバンパー補強部とをそれぞれ別々に製造し、その後両者を接合して衝撃吸収部材を形成する場合に比べて、工程数を減らすことができる。したがって、衝撃吸収部材を安価に製造できる。
【００１３】
また、本発明の他の特徴は、衝撃吸収部とバンパー補強部とを接続する連結部（Ｒ８）をさらに有することにある。これによれば、バンパー補強部がそのサイドメンバ側の端部にて衝撃吸収部に支持されるのみならず、連結部を介して衝撃吸収部に支持される。したがって、バンパー補強部の強度を向上させることができる。また、衝撃吸収部とバンパー補強部とを一体的に成形する場合には、その成形性を向上させることができる。
【図面の簡単な説明】
【００１４】
【図１】本発明の一実施形態に係る衝撃吸収部材が適用された車両の前部構造を概略的に示す分解斜視図である。
【図２】図１の車両の前端部のうちの左側部分を拡大した平面図である。
【図３】スモールオーバーラップ衝突試験の概要を示す概略図である。
【図４Ａ】図２の衝撃吸収部における車幅方向に延びる２つのリブを省略した衝撃吸収部材の平面図である。
【図４Ｂ】図２の衝撃吸収部における車幅方向に延びる２つのリブのうちの外壁部側の一部分を省略した衝撃吸収部材の平面図である。
【図４Ｃ】図２の衝撃吸収部における車幅方向に延びる２つのリブのうちの内壁部側の一部分を省略した衝撃吸収部材の平面図である。
【図４Ｄ】図２の衝撃吸収部における車幅方向に延びる２つのリブのうちの外壁部側の一部分を省略するとともに外壁部を波型に形成した衝撃吸収部材の平面図である。
【図４Ｅ】図２の衝撃吸収部に車両前後方向に延びるリブを追加した衝撃吸収部材の平面図である。
【図４Ｆ】図２の衝撃吸収部に車両前後方向に延びるリブを追加するとともに、車幅方向に延びる２つのリブを省略した衝撃吸収部材の平面図である。
【発明を実施するための形態】
【００１５】
本発明の一実施形態に係る衝撃吸収部材１０について説明する。まず、衝撃吸収部材１０が組み付けられる車両１の前部の構成について簡単に説明しておく。この車両１は、図１及び図２に示すように、車幅方向に間隔をおいて配置され、車両前後方向にそれぞれ延設された左右一対のサイドメンバＳＬ，ＳＲと、サイドメンバＳＬ，ＳＲの前方にて車両の車幅方向左端から右端に亘って延設されたバンパーリインフォースメントＢＲと、を備える。サイドメンバＳＬ，ＳＲは、車幅方向左端及び右端からの車幅方向の距離が車幅の１／４程度になるような位置にそれぞれ配置されている。バンパーリインフォースメントＢＲは、平面視において車幅方向内方側よりも車幅方向外方側が少し後方に位置するように車両前後方向に湾曲している。サイドメンバＳＬ，ＳＲは、それぞれ衝撃吸収部材１０，１０を介してバンパーリインフォースメントＢＲに接続されている。なお、本実施形態では、バンパーリインフォースメントＢＲ及び衝撃吸収部材１０，１０は、車室の前方に設けられる部材として説明するが、本発明は、これらが車室の後方に設けられる場合にも適用可能である。また、図２では、車両１の前部における車幅方向左端部のみを示している。車両１の前部における車幅方向右端部は車幅方向左端部と対称であるので説明を省略する。
【００１６】
次に、衝撃吸収部材１０について説明する。衝撃吸収部材１０は、図２に示すように、衝撃吸収部２０とバンパー補強部３０を備える。衝撃吸収部２０及びバンパー補強部３０は、押し出し加工により一体的に形成される。押し出し加工における押し出し方向は、衝撃吸収部材１０が車両に組み付けられたときの車両高さ方向に相当する。したがって、衝撃吸収部材１０は、車両高さ方向に沿って同一断面を呈する。衝撃吸収部２０は、車両前後方向に延設されている。衝撃吸収部２０の後端部は、サイドメンバＳＬの前端に締結される。衝撃吸収部材１０の前端部は、バンパーリインフォースメントＢＲの車幅方向中間部（サイドメンバＳＬの前方に位置する部分）に接続される。衝撃吸収部材１０が車両１に組み付けられた状態では衝撃吸収部２０の軸線方向が車両前後方向に一致している。衝撃吸収部２０は、車両の前端部に物体ＯＢ（図３参照）が衝突したときにその軸線方向に圧縮されて、前記衝突による衝撃を吸収する。
【００１７】
衝撃吸収部２０は、車両前後方向に延びる内壁部２１及び外壁部２２を備える。外壁部２２は、内壁部２１から見て車幅方向外方（図２において左方）に配置されている。内壁部２１の後端位置と、外壁部２２の後端位置は同一である。バンパーリインフォースメントＢＲは上記のように湾曲しているので、外壁部２２の前端は、内壁部２１の前端よりも少し後方に位置している。内壁部２１の後端と外壁部２２の後端とが車幅方向に延びる後壁部２３により接続され、内壁部２１の前端と外壁部２２の前端とがバンパーリインフォースメントＢＲの後面に沿って延びる前壁部２４により接続されている。後壁部２３には、その前面から後面へ貫通する貫通孔が形成されている。また、内壁部２１の前端には、バンパーリインフォースメントＢＲの後面に沿って車幅方向内方（図２において右方）へ延びるフランジ部２５が形成されている。フランジ部２５には、その前面から後面へ貫通する貫通孔が形成されている。
【００１８】
内壁部２１、外壁部２２、後壁部２３及び前壁部２４によって囲まれた空間ＳＰには、リブＲ１乃至Ｒ７が形成されている。リブＲ１は、内壁部２１の前後方向中央部から車幅方向外方へ延設され、外壁部２２に接続されている。リブＲ２及びリブＲ３は、内壁部２１、外壁部２２、前壁部２４及びリブＲ１によって囲まれた平面視略矩形の空間ＳＰ１の対角を接続するようにそれぞれ形成されている。リブＲ４は、リブＲ２とリブＲ３の交差部から車幅方向内方及び外方に延設され、内壁部２１及び外壁部２２に接続されている。空間ＳＰ１はリブＲ４によって２つの空間に分断されている。リブＲ４の前側の空間を空間ＳＰ１１と呼び、リブＲ４の後側の空間を空間ＳＰ１２と呼ぶ。
【００１９】
リブＲ５及びリブＲ６は、内壁部２１、外壁部２２、後壁部２３及びリブＲ１によって囲まれた平面視略矩形の空間ＳＰ２の対角を接続するようにそれぞれ形成されている。リブＲ７は、リブＲ５とリブＲ６の交差部から車幅方向内方及び外方にそれぞれ延設され、内壁部２１及び外壁部２２に接続されている。空間ＳＰ２はリブＲ７によって２つの空間に分断されている。リブＲ７の前側の空間を空間ＳＰ２１と呼び、リブＲ７の後側の空間を空間ＳＰ２２と呼ぶ。
【００２０】
バンパー補強部３０は、衝撃吸収部２０の外壁部２２の車幅方向外方側（図２において左側）に形成されている。バンパー補強部３０の前端部は、バンパーリインフォースメントＢＲの車幅方向左端部に締結される。バンパー補強部３０は、バンパーリインフォースメントＢＲの車幅方向左端部（サイドメンバＳＬの前方に位置する部分から左端に亘る部分のうちの少なくとも一部分）の後面を支持する。バンパー補強部３０は、外壁部２２の後端部から前方且つ車幅方向外方へ向かって延設された内壁部３１及び外壁部３２を備える。外壁部３１は、内壁部３１から見て車幅方向外方に配置されている。上記のようにバンパーリインフォースメントＢＲは湾曲しているので、外壁部３２の前端は、内壁部３１の前端よりも少し後方に位置している。内壁部３１の前端と外壁部３２の前端とがバンパーリインフォースメントＢＲの後面に沿って延びる前壁部３３により接続されている。また、内壁部３１の後端と外壁部３２の後端とが前後方向の同一位置にて衝撃吸収部２０の外壁部２２の後端に接続されている。なお、内壁部３１の後端と外壁部３２の後端が外壁部２２の後端ではなく、外壁部２２の前後方向中間部（例えば、前後方向中央部よりも後端側に位置する部分）に接続されていてもよい。また、外壁部３２の前端には、バンパーリインフォースメントＢＲの後面に沿って車幅方向外方へ延びるフランジ部３４が形成されている。フランジ部３４には、その前面から後面へ貫通する貫通孔が設けられている。また、リブＲ８が、外壁部２２の前後方向中央部から車幅方向外方に延設され、内壁部３１の前後方向中央部に接続されている。
【００２１】
フランジ部２５に形成された貫通孔及びフランジ部３４に形成された貫通孔にボルトＢ１が挿入され、このボルトＢ１によって、衝撃吸収部材１０の前端部がバンパーリインフォースメントＢＲの後端面に締結される。また、後壁部２３に形成された貫通孔にボルトＢ２が挿入され、このボルトＢ２によって、衝撃吸収部材１０の後端部がサイドメンバＳＬに締結される。
【００２２】
図３に示すように、車両１の前端部であって、サイドメンバＳＬの前方に位置する部分から車幅方向左端に亘る部分に物体ＯＢが衝突すると、物体ＯＢは、バンパーリインフォースメントＢＲ及び衝撃吸収部材１０を変形させながら車室内側へ進入していく。このとき、バンパーリインフォースメントＢＲの車幅方向左端部の後面がバンパー補強部３０によって支持されているので、バンパーリインフォースメントＢＲの車幅方向左端部の折れ曲がりを抑制することができる。したがって、衝撃吸収部２０には、その軸線方向に荷重が作用する。すると、まず、衝撃吸収部２０の内壁部２１及び外壁部２２のうち、前壁部２４とリブＲ４の間に位置する部分がそれぞれ座屈する。空間ＳＰ１にはその対角を繋ぐようにリブＲ２及びリブＲ３が設けられているので、内壁部２１及び外壁部２２のうち、前壁部２４とリブＲ４の間に位置する部分がほぼ同時に座屈する。すなわち、空間ＳＰ１１は、その軸線方向に圧縮される。以降、空間ＳＰ１２、空間ＳＰ２１、空間ＳＰ２２がこの順に、空間ＳＰ１１と同様にそれらの軸線方向に圧縮される。したがって、衝撃吸収部材１０によれば、物体ＯＢの衝突による衝撃を効率良く吸収することができる。なお、衝撃吸収部２０がその軸線方向に圧縮されていく過程で、バンパー補強部３０も多少変形する。
【００２３】
また、バンパー補強部３０は、衝撃吸収部２０の後端部（サイドメンバＳＬ側の端部）から、前方（バンパーリインフォースメントＢＲ側）且つ車幅方向外方へ向かって延設されている。すなわち、バンパー補強部３０の延設方向はサイドメンバＳＬの延設方向に対して傾斜している。したがって、サイドメンバＳＬの前端には、車幅方向内方且つ後方に前記衝突による荷重が作用する。衝撃吸収部２０によって効率良く前記衝突による衝撃を吸収するとともにサイドメンバＳＬの前端に車幅方向内方への荷重を作用させることにより、衝突時に車両本体が物体ＯＢ周りに回転するように進行することを抑制し、車両本体を衝突前の進行方向に略平行な方向に進行させることができる。これにより、乗員及び車両周辺に与える影響を極力小さくすることができる。また、上記特許文献２の車両のようなアッパメンバ及びアッパメンバに接続される衝撃吸収部材が不要であるので、車両１の前部の構造を簡略化するとともに、部品点数を削減できる。さらに、バンパー補強部３０は衝撃吸収部２０から車幅方向外方に延びるように形成されており、特許文献２に示されるような特殊なシャシー構造の車両ではない通常の車両に本発明の衝撃吸収部材を適用することができるので、汎用性が高い。
【００２４】
また、衝撃吸収部材１０を押し出し成形により一体的に形成したので、衝撃吸収部２０とバンパー補強部３０とをそれぞれ別々に製造し、その後両者を接合して衝撃吸収部材を形成する場合に比べて、工程数を減らすことができる。したがって、衝撃吸収部材１０を安価に製造できる。
【００２５】
また、衝撃吸収部２０とバンパー補強部３０とがリブＲ８によって接続されている。すなわち、バンパー補強部３０がその後端部にて衝撃吸収部２０に支持されるのみならず、その前後方向中央部にてリブＲ８を介して衝撃吸収部２０に支持される。よって、バンパー補強部３０の強度を向上させることができる。また、衝撃吸収部２０とバンパー補強部３０とを押し出し成形により一体的に形成する際の成形性を向上させることができる。
【００２６】
さらに、本発明の実施にあたっては、上記実施形態に限定されるものではなく、本発明の目的を逸脱しない限りにおいて種々の変更が可能である。
【００２７】
例えば、上記実施形態では、バンパー補強部３０は、中空状に形成されているが、中実状に形成されていてもよい。また、バンパー補強部３０は、板状又は棒状に形成されていてもよい。
【００２８】
また、例えば、衝撃吸収部２０の空間ＳＰ１及び空間ＳＰ２内に設けられるリブの構成は上記実施形態に限られない。例えば、図４Ａに示すように、リブＲ４及びリブＲ７を省略してもよい。また、図４Ｂに示すように、リブＲ４のうち、リブＲ２とリブＲ３との交差部から内壁部２１側へ延設される部分を省略するとともに、リブＲ７のうち、リブＲ５とリブＲ６との交差部から内壁部２１側へ延設される部分を省略してもよい。また、図４Ｃに示すように、リブＲ４のうち、リブＲ２とリブＲ３との交差部から外壁部２２側へ延設される部分を省略するとともに、リブＲ７のうち、リブＲ５とリブＲ６との交差部から外壁部２２側へ延設される部分を省略してもよい。これによれば、押し出し工程で中空部を形成するために用いる中子を大きくでき、衝撃吸収部材１０を加工し易い。
【００２９】
図４Ｂ又は図４ＣのようにリブＲ４及びリブＲ７の一部を省略した場合、衝撃吸収部２０の内壁部２１側の部分と外壁部２２側の部分とで座屈強度に差が生じ、衝撃吸収部２０に衝突による荷重が作用したとき、内壁部２１の座屈位置と外壁部２２の座屈位置とが前後方向にずれる虞がある。また、内壁部２１が座屈するタイミングと外壁部２２が座屈するタイミングとがずれる虞がある。そこで、例えば、リブＲ４及びリブＲ７のうち、内壁部２１側に延設される部分を省略した場合、図４Ｄに示すように、外壁部２２が平面視において波型を呈するように構成すると良い。具体的には、外壁部２２における前壁部２４とリブＲ１の間に位置する部分のうちの前側部分が車幅方向外方に突出し、外壁部２２における前壁部２４とリブＲ１の間に位置する部分のうちの後側部分が車幅方向内方に入り込むように構成するとともに、外壁部２２における後壁部２３とリブＲ１の間に位置する部分のうちの前側部分が車幅方向外方に突出し、外壁部２２における後壁部２３とリブＲ１の間に位置する部分のうちの後側部分が車幅方向内方に入り込むように構成すると良い。これによれば、外壁部２２のうちの車幅方向外方に突出した部分及び車幅方向内方に入り込んだ部分の各頂点部にて座屈するため、内壁部２１の座屈位置と外壁部２２の座屈位置が前後方向に大きくずれることを防止できる。また、内壁部２１が座屈するタイミングと外壁部２２が座屈するタイミングとを揃えることができる。
【００３０】
また、図４Ｅに示すように、前壁部２４の車幅方向中央部から後方へ延設され、リブＲ２とリブＲ３との交差部、リブＲ１、リブＲ５とリブＲ６との交差部、及び後壁部２３に接続されるリブＲ９をさらに設けてもよい。これによれば、座屈強度を向上させることができる。また、図４Ｆに示すように、リブＲ９を設けるとともに、リブＲ４及びリブＲ７を省略してもよい。
【符号の説明】
【００３１】
１・・・車両、１０・・・衝撃吸収部材、２０・・・衝撃吸収部、２５・・・フランジ部、３０・・・バンパー補強部、３４・・・フランジ部、ＢＲ・・・バンパーリインフォースメント、ＯＢ・・・物体、ＳＬ，ＳＲ・・・サイドメンバ
【図１】
2014141179.tif 000003
【図２】
2014141179.tif 000004
【図３】
2014141179.tif 000005
【図４Ａ】
2014141179.tif 000006
【図４Ｂ】
2014141179.tif 000007
【図４Ｃ】
2014141179.tif 000008
【図４Ｄ】
2014141179.tif 000009
【図４Ｅ】
2014141179.tif 000010
【図４Ｆ】
2014141179.tif 000011